(57)【要約】【課題】食品容器内の食品を食べる際に良好な利便性を発揮できるとともに、低コスト性に優れた新規な食品容器用蓋およびそれを用いた食品容器を提供すること【解決手段】本考案に係る食品容器用蓋は、食品容器本体に篏合させて使用される食品容器用蓋であって、当該蓋の内側において、凸部形状（Ａ）と、当該凸部形状（Ａ）により囲まれてなる調味液保持部（Ｂ）とを有することを特徴とする。【選択図】図２
0003233773.tif 000002
【実用新案登録請求の範囲】
【請求項１】
食品容器本体に使用される食品容器用蓋であって、
当該蓋の内側において、凸部形状（Ａ）と、当該凸部形状（Ａ）により囲まれてなる調味液保持部（Ｂ）とを有することを特徴とする食品容器用蓋。
【請求項２】
さらに、当該蓋の内側において、凸部形状（Ｃ）と当該凸部形状（Ｃ）により囲まれてなる薬味保持部（Ｄ）を有することを特徴とする請求項１に記載の食品容器用蓋。
【請求項３】
請求項１又は２に記載の食品容器用蓋と、食品容器本体とから構成されることを特徴とする食品容器。
【考案の詳細な説明】
【技術分野】
【０００１】
本考案は、新規な食品容器用蓋およびそれを用いた食品容器に関し、より具体的には、調味液（醤油など）に漬ける調味液保持部を備えるため、容器内の食品を食べる際に良好な利便性を発揮できるとともに、低コスト性に優れた新規な食品容器用蓋およびそれを用いた食品容器に関する。
【背景技術】
【０００２】
一般的に、スーパーマーケット、コンビニエンスストアなどの小売店において販売されている寿司などの食品（弁当）は、非特許文献１で例示されるように、食品容器（「中食用容器」や「フードパック」とも称される。）に保存されていることが多い。
【０００３】
このような食品容器は、図１の付番１で示されるように、一般的に、食品を載置する食品載置部１１とその周囲に凸部（周縁部）１２が形成されている食品容器本体１０と蓋部１３とから構成される。なお、図１の食品容器に示されるように、蓋部１３の周縁部の一部が食品容器本体１０の周縁部１２に結合している場合もあるが、これらが完全に分離している場合もある。
【０００４】
また、図１では、凸部１２は、蓋部１３の周縁部に形成された凹部と篏合（密着）するように設計されているが、篏合構造（凹部や凸部）がなく、蓋の周縁部と本体の周縁部とが、テープなどで貼付される態様もある。
【０００５】
【先行技術文献】
【非特許文献】
【０００６】
【非特許文献１】http://www.jsp-p.co.jp/pdf/02_nakasyoku.pdf
【考案の概要】
【考案が解決しようとする課題】
【０００７】
しかしながら、食品によっては、調味液を使用する必要があり、この場合、一般的に、食品に直接調味液を滴下するか、あるいは蓋部又は食品載置部の端部などに調味液を注ぎ、食品を食する都度、調味液を使用することになる。
たとえば、食品が寿司などの場合、一般的に、寿司に醤油を直接かけることは推奨されていない食事様式であるといわれている。また、食品載置部の端部に醤油を注ぐと、ネタに醤油をつける際にはすでに醤油がシャリについていることもある。また、蓋部に醤油を注いだ場合でも、醤油の量（体積）と蓋部の面積との関係から、醤油が蓋部の内側全体に広がることもあり、食品容器を廃棄する際には、醤油がこぼれやすいという課題もある。
【０００８】
さらに、このような従来の課題を解決するには、食品容器にパックされた食品を食する際には、調味液を注ぐための専用の小皿（いわゆる、「手塩皿」、「おてしょ皿」、「てしょう皿」）を用意しなければならならず、利便性に欠ける。
【０００９】
そこで、本考案の考案者は、従来の食品容器（「中食用容器」、「フードパック」）の構造を鋭意検討した結果、蓋部の内側（容器内部側の面）に、調味液を注ぎ、保持するための調味液保持部を備えることで、従来の課題を解決することを見出した。
【００１０】
すなわち、本考案は、調味液（醤油など）を保持するための調味液保持部を備えるため、食品容器内の食品を食べる際に良好な利便性を発揮できるとともに、低コスト性に優れた新規な食品容器用蓋およびそれを用いた食品容器を提供することを目的とする。
【課題を解決するための手段】
【００１１】
本考案に係る食品容器用蓋は、食品容器本体に使用される食品容器用蓋であって、当該蓋の内側において、凸部形状（Ａ）と、当該凸部形状（Ａ）により囲まれてなる調味液保持部（Ｂ）とを有することを特徴とする。
【００１２】
また、本考案に係る食品容器用蓋においては、さらに、当該蓋の内側において、凸部形状（Ｃ）と当該凸部形状（Ｃ）により囲まれてなる薬味保持部（Ｄ）を有することが好ましい。
【００１３】
本考案に係る食品容器は、本考案の食品容器用蓋と、食品容器本体とから構成されることを特徴とする。
【考案の効果】
【００１４】
本考案に係る食品容器用蓋およびそれを用いた食品容器によれば、調味液（醤油など）を保持するための調味液保持部を備えるため、食品容器内の食品を食べる際に良好な利便性とともに、優れたコスト性を発揮できる。
【図面の簡単な説明】
【００１５】
【図１】図１は、従来の食品容器（「中食用容器」、「フードパック」）の本体部分を説明するための図である。
【００１６】
【図２】図２（１）は、本考案に係る食品容器用蓋を説明するための平面図である。また、図２（２）は、図２（１）のａｂ断面図である。
【考案を実施するための形態】
【００１７】
以下、本考案に係る食品容器用蓋およびそれを用いた食品容器について、適宜図面を参照しながら説明する。
【００１８】
図２（１）は、本考案に係る食品容器用蓋を示している。本考案に係る食品容器用蓋は、食品容器（「中食用容器」や「フードパック」）に使用される蓋である。図２で示されていないが、適宜、蓋の周縁部に篏合構造（凹部または凸部）が設けられていてもよいし、あるいは、食品容器本体と蓋とを封する際に、テープやゴムなどが使用される態様であれば、かかる篏合構造を有していなくてもよい。
【００１９】
また、本考案に係る食品容器用蓋や、それに使用される食品容器本体の材質は、特に限定されるものではなく、使用する食品に応じて適宜選択することができる。一般的に、食品容器用蓋の材質として、ポリプロピレンや発泡スチロールなどの一般的な合成樹脂や、ポリ乳酸などの姓分解プラスチックが使用されることが多い。
食品容器用蓋の大きさや形状（寸法）も特に限定されることなく、食品の大きさなどに応じて適宜選択される。
【００２０】
本考案に係る食品容器用蓋は、図２に示されるように、その内側において、凸部形状Ａと、当該凸部形状Ａにより囲まれてなる調味液保持部Ｂとを必須構成要件として有し、必要に応じて適宜任意の構造などを有していてもよい。
ここで、「（食品容器用蓋の）内側」の面とは、食品容器本体の蓋として使用した際に、食品容器の内部側の面を言う。すなわち、凸部形状Ａおよび調味液保持部Ｂは、食品容器の外側ではなく、内部側に存在する。そのため、調味液保持部Ｂは、消費者が食品を食するまでは、外部に曝されることはないため、高い衛生状態が維持できる。
【００２１】
図２（２）は、図２（１）のａｂ断面図である。かかる断面図に示されるように、調味液保持部Ｂは、凸部形状Ａに囲まれているため、調味液を注いだ際に、凸部形状Ａの外側に流出することはない。
【００２２】
なお、凸部形状Ａは、調味液が調味液保持部Ｂの外側に流出しないように、囲まれている（囲繞されている）限り、その形状は特に限定されない。同様に、調味液保持部Ｂも調味液を保持する形状である限り（調味液を外側に流出させない限り）特に限定されるものではない。
【００２３】
また、本考案に係る食品容器用蓋が、プラスチック製などである場合、凸部形状Ａは、プレス加工やブロワー加工などのプラスチック成形技術により形成されることが一般的である。
【００２４】
本考案に係る食品容器用蓋は、当該蓋の内側において、凸部形状Ｃと当該凸部形状Ｃにより囲まれてなる薬味保持部Ｄを有していてもよい。ここで、凸部形状Ｃや薬味保持部Ｄの形状などは、凸部形状Ａ調味液保持部Ｂと同様に、特に限定されるものではなく、食品などに応じて適宜選択される。
また、食品を食する際に、薬味保持部Ｄは、ワサビ、分葱など各種薬味を載置する部分として使用される。
【００２５】
なお、本考案に係る食品容器用蓋や食品容器は、使用される食品を特に限定するものではない。たとえば、寿司、刺身などの和食、餃子、シュウマイなどの中華料理、ローストビーフやオードブルなどの西洋料理など、醤油、ラー油、各種ソースなどの調味液を使用する食品に使用されることが好適である。
【産業上の利用可能性】
【００２６】
本考案によれば、調味液（醤油など）に漬ける調味液保持部を備えるため、食品容器内の食品を食べる際に良好な利便性を発揮できるとともに、低コスト性に優れた新規な食品容器用蓋およびそれを用いた食品容器を提供することができる。そのため、特に食品容器などの製造を担うプラスチック加工産業や当該容器を使用する食品産業や小売業など各種産業の発達に寄与することができる。
【符号の説明】
【００２７】
１０：従来の食品容器本体
１１：食品載置部
１２：周縁部
１３：蓋部（従来品）
Ａ：  凸部形状
Ｂ：調味液保持部
【図１】
0003233773.tif 000003
【図２】
0003233773.tif 000004